(57)【要約】【課題】かご室壁に穴を空けることを不要にし、カメラの据付け作業が簡単で、かご室の密閉性を確保できるとともに、装置の小型化を図る。【解決手段】エレベーターのかご室内をかご室壁７に設置された防犯カメラ１で撮影して、得られた映像信号を外部に送信するエレベーター用防犯カメラ装置であって、かご室内を撮影した映像信号を電波で送信するための平面アンテナ４を内蔵した防犯カメラ１と、少なくとも防犯カメラ１の取付位置となる一部分を電波透過材８で構成したかご室壁７と、かご室の外側に設けられ、電波透過材８を透過した防犯カメラ１からの電波を反射させ、当該電波の向きを受信用アンテナの設置位置方向に変化させる電波反射プレートとを備えている。【選択図】図１
2013018578.tif 000002
【特許請求の範囲】
【請求項１】
エレベーターのかご室内をかご室壁に設置されたカメラで撮影して、得られた映像信号を外部に送信するエレベーター用防犯カメラ装置であって、
かご室内を撮影した映像信号を電波で送信するためのアンテナを内蔵したカメラと、
少なくとも前記カメラの取付位置となる一部分を電波透過材で構成したかご室壁と、
前記かご室の外側に設けられ、前記電波透過材を透過した前記カメラからの前記電波を反射させ、当該電波の向きを受信用アンテナの設置位置方向に変化させる電波反射プレートと
を備えたことを特徴とするエレベーター用防犯カメラ装置。
【請求項２】
前記カメラは、前記かご室壁への取付面が電波透過材で構成されているか、あるいは、当該取付面の少なくとも一部が開口していることを特徴とする請求項１に記載のエレベーター用防犯カメラ装置。
【請求項３】
前記カメラの前記アンテナを、指向性を有する平面アンテナで構成する
ことを特徴とする請求項１または２に記載のエレバーター用防犯カメラ装置。
【請求項４】
前記かご室壁の前記電波透過材は樹脂で構成され、当該樹脂の表面に電波透過性を有する金属調塗装または金属調フィルムを施す
ことを特徴とする請求項１ないし３のいずれか１項に記載のエレベーター用防犯カメラ装置。
【請求項５】
エレベーターのかご室内を撮影した映像信号を外部に送信する防犯用映像信号送信方法であって、
エレベーターのかご室内に設置されたカメラにより前記かご室内を撮影し、得られた映像信号を出力するステップと、
出力された前記映像信号を電波映像信号に変換するステップと、
前記電波映像信号を、平面アンテナにより、前記かご室のかご室壁に設けられた電波透過材を通して、前記かご室の外部に出力するステップと、
前記かご室の外部に出力された前記電波映像信号を前記かご室の外部に設けられた電波反射プレートにより反射させることにより、前記電波映像信号の向きを変えて、受信用アンテナの設置位置方向に向けて送信するステップと
を備えたことを特徴とする防犯用映像信号送信方法。
【発明の詳細な説明】
【技術分野】
【０００１】
この発明はエレベーター用防犯カメラ装置および防犯用映像信号送信方法に関し、特に、エレベーターかごに設けられ、防犯用にエレベーターかご室内の監視を行うためのエレベーター用防犯カメラ装置および防犯用映像信号送信方法に関する。
【背景技術】
【０００２】
従来の一般的なエレベーター用防犯カメラ装置は、電源供給としてはエレベーター機器から給電され、防犯カメラで撮影された映像信号は同軸ケーブルなどを用いた有線方式で、エレベーター制御用ケーブルを介して、監視室などに設置されたモニタに伝送される。
【０００３】
ここで、電波などの無線方式を使用した防犯カメラ装置の従来技術として、例えば特許文献１に記載のエレベーター用防犯カメラ装置を挙げることができる。
【０００４】
特許文献１に記載のエレベーター用防犯カメラ装置は、エレベーターのかご室内に設置され、かご室内の天井照明の下部に配置された防犯カメラと、防犯カメラの上部に載置された平面形状の太陽電池パネルとを備え、太陽電池パネルは、エレベーターのかご室の天井照明からの照射光を取り込んで、それを電気に変換して、防犯カメラに電源供給するものである。
【０００５】
また、防犯カメラは、撮影した映像信号を外部に送信するための伸縮可能なホイップアンテナを備え、当該ホイップアンテナは、かご室の側壁を貫通して、エレベーターの昇降路内に先端が突出するように配設されている。なお、かご室壁に穴を空けて、ホイップアンテナの先端をエレベーターの昇降路内に突出させる理由は、一般的に、かご室壁は金属パネルで構成されているので、当該金属パネルによって、電波をはじめとする無線信号が遮断されてしまうためである。このようにして設置されたホイップアンテナからの映像信号は、エレベーターの昇降路の下端部に設けられた受信用のダイバーシティアンテナによって受信され、映像信号伝送用ケーブルを介して、監視センタのモニタまで伝送される。
【先行技術文献】
【特許文献】
【０００６】
【特許文献１】特開２００９−１４９４０８号公報
【発明の概要】
【発明が解決しようとする課題】
【０００７】
しかしながら、特許文献１に記載のような従来の防犯カメラ装置においては、ホイップアンテナの先端をかご室の外側に突出させるため、かご室壁に穴を空ける作業が必要であり、その穴によりかご室の密閉性を低下させるという問題点があった。
【０００８】
かご室の密閉性が確保できないと、かご室走行音、特に高速でのかご室走行音の影響を完全に防ぐことができず、エレベーターに乗っている乗客に不快な思いをさせてしまったり、穴の大きさによっては、かご室内の空調（冷房または暖房）の効率を低下させることにもなる。
【０００９】
また、金属パネルで構成されたかご室壁に穴を空ける必要があるため、穴空け作業が面倒で、防犯カメラの据付けが煩わしいという問題点もあった。
【００１０】
また、防犯カメラが設置された状態では、乗客からは穴が見えないので、意匠的には問題ないが、何らかの理由で防犯カメラを取り外したり、あるいは、エレベーターの出荷時や据付時には穴だけが施され、エレベーターが稼働した後に防犯カメラを取り付けたりする場合には、穴が乗客から見えてしまい、意匠的にも問題があるとともに、当該穴をふさぐためのゴム板やプラスチック板等が施されているわけではないので、開口した状態の当該穴から乗客が昇降路内にごみ等を捨てる、あるいは、指を出すなどの行為を行う可能性も否めないという問題点があった。
【００１１】
さらに、ホイップアンテナは一般的に長さの長いものであり、その長さの長いホイップアンテナを収納する必要があるため、必然的に、防犯カメラの奥行き寸法を薄くすることができず、小型化が図れないという問題点があった。
【００１２】
本発明は、上記問題点を解決するためになされたものであり、かご室壁に穴を空けることを不要にし、カメラの据付け作業が簡単で、かご室の密閉性を確保できるとともに、装置の小型化を図ることが可能な、エレベーター用防犯カメラ装置および防犯用映像信号送信方法を得ることを目的としている。
【課題を解決するための手段】
【００１３】
この発明は、エレベーターのかご室内をかご室壁に設置されたカメラで撮影して、得られた映像信号を外部に送信するエレベーター用防犯カメラ装置であって、かご室内を撮影した映像信号を電波で送信するためのアンテナを内蔵したカメラと、少なくとも前記カメラの取付位置となる一部分を電波透過材で構成したかご室壁と、前記かご室の外側に設けられ、前記電波透過材を透過した前記カメラからの前記電波を反射させ、当該電波の向きを受信用アンテナの設置位置方向に変化させる電波反射プレートとを備えたことを特徴とするエレベーター用防犯カメラ装置である。
【発明の効果】
【００１４】
この発明は、エレベーターのかご室内をかご室壁に設置されたカメラで撮影して、得られた映像信号を外部に送信するエレベーター用防犯カメラ装置であって、かご室内を撮影した映像信号を電波で送信するためのアンテナを内蔵したカメラと、少なくとも前記カメラの取付位置となる一部分を電波透過材で構成したかご室壁と、前記かご室の外側に設けられ、前記電波透過材を透過した前記カメラからの前記電波を反射させ、当該電波の向きを受信用アンテナの設置位置方向に変化させる電波反射プレートとを備えたことを特徴とするエレベーター用防犯カメラ装置であるので、かご室壁に穴を空けることを不要にし、カメラの据付け作業が簡単で、かご室の密閉性を確保できるとともに、装置の小型化を図ることができる。
【図面の簡単な説明】
【００１５】
【図１】この発明のエレベーター用防犯カメラ装置の防犯カメラ部分を示す側面図である。
【図２】この発明のエレベーター用防犯カメラ装置のかご室壁を構成している金属パネルの例を示した斜視図である。
【図３】この発明のエレベーター用防犯カメラ装置のエレベーター全体を示す側面図である。
【発明を実施するための形態】
【００１６】
実施の形態１．
図１は、この発明のエレベーター用防犯カメラ装置の防犯カメラ部分を示す側面図である。また、図３は、この発明のエレベーター用防犯カメラ装置のエレベーター全体を示す側面図である。これらの図において、１は防犯カメラ、２はカメラカバー、３はボードカメラ、４は平面アンテナ、５は映像信号、６は電波映像信号、７はかご室壁、８は電波透過材、９は電波反射プレート、１０はエレベーター制御盤、１１はかご上ステーション、１２はエレベーター制御ケーブル、１３はエレベーターかご室、１４は釣合おもり、１５はロープ、１６はエレベーター巻上機、１７はエレベーター昇降路、１８はダイバーシティアンテナ、１９は映像信号伝送用ケーブルである。
【００１７】
図１に示すように、本実施の形態に係るエレベーター用防犯カメラ装置は、防犯カメラ１と電波反射プレート９とから構成されている。防犯カメラ１は、カメラカバー２と、ボードカメラ３と、平面アンテナ４とから構成されており、ボードカメラ３および平面アンテナ４はカメラカバー２内に内蔵されている。防犯カメラ１は、エレベーターかご室１３内に設けられ、電波反射プレート９はエレベーターかご室１３の外壁に設けられている。
【００１８】
防犯カメラ１の設置位置としては、エレベーターかご室１３内全体の撮影が行いやすいように（撮影上死角となる箇所がないように）、エレベーターかご室１３内の上方（上部）に設けることが望ましい。図１、図３の例では、防犯カメラ１は、エレベーターかご室１３を構成している複数枚の金属パネル（すなわち、かご室壁７）の中の１枚の上部に設けられている。防犯カメラ１をエレベーターかご室１３内の天井に設けることも可能であるが、本実施の形態においては、図３に示すように、電波映像信号６を、エレベーター昇降路１７の下端部に設けられた受信用アンテナであるダイバーシティアンテナ１８に向けて送信するため、その関係上、防犯カメラ１は、エレベーターかご室１３内の天井ではなく、かご室壁７に設けることが望ましい。但し、当然のことながら、ダイバーシティアンテナ１８がエレベーター昇降路１７の上端部に設けられている場合には、防犯カメラ１をエレベーターかご室１３内の天井に設けても、かご室壁７に設けても、電波映像信号６の送信にあたりどちらも有効である。
【００１９】
図１において、防犯カメラ１のカメラカバー２の内部には、上述の通り、ボードカメラ３と平面アンテナ４が組み込まれており、ボードカメラ３で撮影された映像は映像信号５として平面アンテナ４に無線または有線で送信され、平面アンテナ４はその映像信号５を受信して、それを電波映像信号６に変換して、かご室壁７方向に向けて無線送信する。平面アンテナ４は強い指向性を有しているため、確実かつ正確に、かご室壁７方向だけに向けて、電波映像信号６を発信することができる。カメラカバー２は、電波映像信号６の通信路となる、少なくとも、かご室壁７への取付面が電波透過材で構成されている。もしくは、電波映像信号６の通信路となる、防犯カメラ１のカメラカバー２の背面の少なくとも一部が、開口されている構成であってもよい。
【００２０】
カメラカバー２は、例えば、透明もしくは塗色されるなどして着色された半透明の樹脂などから構成される。カメラカバー２は、内部に設けられたボードカメラ３や平面アンテナ４を保護する目的で設けられており、それらの部材に物理的に何かが直接衝突して破損する等の事故を未然に防止している。従って、カメラカバー２は、破損しにくい適度な強度を有した材質であることが望ましい。また、カメラカバー２を設ける第二の目的としては、ボードカメラ３が外部に露出していると、エレベーターの乗客が自分が撮影されて監視されているという意識を持ってしまい、不快に感じることがあるので、それを緩和させるために、ボードカメラ３が直接乗客の目に触れないようにするという目的で設けられている。従って、カメラカバー２は、このような目的が不要である場合には、必ずしも、設けなくてもよい。
【００２１】
また、かご室壁７における、防犯カメラ１の取付部であって、平面アンテナ４と対応する部分は、電波透過材８で構成されている。そのため、平面アンテナ４から送信される電波映像信号６は、電波透過材８を透過して（カメラカバー２があれば、電波透過材８およびカメラカバー２を透過して）、略々水平方向に直進する。電波透過材８を透過してかご室１３の外に出た電波映像信号６は、かご室壁７の外側に取り付けられた電波反射プレート９で反射して、当該電波の向き（進行方向）が下向きに変えられて、そこから、さらに送信される。
【００２２】
電波反射プレート９は、図１及び図３に示されるように、エレベーターかご室１３を構成するかご室壁７の外側の面に設けられている。電波反射プレート９は、平面アンテナ４から略々水平に送信される電波映像信号６を反射させることにより、電波映像信号６の進行方向を、直角（９０°）に、かつ、下向きに変化させるための反射板である。これにより、電波映像信号６は、エレベーター昇降路１７の内側壁に沿って、下向きに進むようになる。電波映像信号６の進行方向を、直角（９０°）に、かつ、下向きに変化させるために、電波映像信号６の入射角および反射角がともに４５°となるように、電波反射プレート９は、反射面が下向きで、かつ、当該反射面とかご室壁７の外壁とがなす間の角度が４５°の角度になるように、かご室壁７に対して４５°という傾斜を設けて、庇のように斜めに設けられている。なお、電波反射プレート９の設置箇所としては、平面アンテナ４からの電波映像信号が反射面に確実に入射するように、電波反射プレート９の反射面が電波透過材８の設置位置に対応するように、図１に示すように、電波反射プレート９の取付用の上端部が、電波透過材８の設置位置の真上の位置のかご室壁７の外壁面に取り付けられている。取付方法としては、接合でもよいし、両面テープ等を用いて貼り付けてもよく、あるいは、ねじ止め等でもよい。また、電波反射プレート９の材料としては、例えば、アルミニウム等の軽金属が挙げられるが、特に限定されるものではなく、電波を一定の方向に反射できるものであれば、いずれの材料でもよい。また、電波反射プレート９の形状も、反射面が平らな板状のものでもよく、あるいは、反射面が凹面の例えば椀状に湾曲した形状のものでもよい。
【００２３】
なお、本実施の形態においては、後述するように、受信用のダイバーシティアンテナ１８がエレベーター昇降路１７の下端部に設けられているため、電波反射プレート９で、電波映像信号６の進行方向を下向きに変化させている。しかしながら、電波反射プレート９の目的は、電波映像信号６の進行方向を受信用のダイバーシティアンテナ１８の設置位置方向へ向けるためのものであるため、必ずしも下向きに変化させるものではなく、ダイバーシティアンテナ１８の設置位置に応じて、適宜、電波反射プレート９の設置角度および設置位置を変更させる必要があることは言うまでもない。
【００２４】
ここで、映像信号５を電波に変換して電波映像信号６として送信するアンテナとして指向性の強い平面アンテナ４を使用しているが、平面アンテナ４以外の指向性の強いアンテナを使用してもよい。ここで、平面アンテナ４は、例えばホーンアンテナなどと比べるとアンテナ自体の奥行きを薄くすることができ、すなわち防犯カメラ１の本体を薄くすることができるアンテナといえる。また、指向性の強いアンテナを用いることにより、従来用いていたホイップアンテナ等の無指向性アンテナと比較すると、受信アンテナの設置位置とかけ離れた、無駄な角度に放射する電波が無くなり、使用電力を抑えることにより、防犯カメラ装置の省電力化が可能になる。
【００２５】
図２は、この発明のエレベーター用防犯カメラ装置のかご室壁７を構成する金属パネルの例を示した斜視図である。図２に示されるように、かご室壁７の防犯カメラ１が取り付けられるかご室壁７の金属パネルには、防犯カメラ１の取付部に、窓が形成されている。この窓には、上述の電波透過材８が組み込まれる。当該窓は、防犯カメラ１のかご室壁７への取付面の形状および大きさに対応させた形状および大きさとなっているが、窓の大きさとしては電波映像信号６を透過する面積があれば良いので、防犯カメラ１の背面より小さい面積でよい。また、窓の形状は、図２の例では矩形となっているが、特に、それに限定されるものではない。かご室壁７の窓に組み込まれる電波透過材８は樹脂で形成される。樹脂は電波を透過する素材であり、プラスチックガラスなどの透明な樹脂もあれば、塗色された樹脂もある。電波透過材８として使用する樹脂の種類や色は、特別に限定されるものではない。
【００２６】
かご室壁７は金属パネルで構成されているが、かご室壁７の窓に組み込まれる電波透過材８は樹脂で構成されている。樹脂で形成される電波透過材８は、金属で形成されるかご室壁７とは見た目の色調が異なるため、防犯カメラ１を設置しない場合は、この電波透過材８によるかご室壁７の意匠性が問題となる。
【００２７】
防犯カメラ１は、かご室壁７に両面テープなどで取り付けるのが一般的である。防犯カメラ１が設置されれば、電波透過材８は、防犯カメラ１（すなわち、カメラカバー２）によって覆われ、かご室内からはその電波透過材８は見えないので、電波透過材８がどのような色であっても意匠的な問題はない。しかしながら、防犯カメラ１はエレベーターの出荷時や据付時に取り付けられるときもあれば、エレベーターが稼動した後に取り付けられる場合もある。前者の場合は上記の通り電波透過材８による意匠性は問題ないが、後者の場合はそうとは限らない。後者の場合は、防犯カメラがエレベーターの据付後に取り付けられることになり、その場合は電波透過材８を組み込んだかご室壁７に後から交換するか、もしくは電波透過材８を組み込んだかご室壁７を最初から使用するかのどちらかとなる。かご室壁７はパネル単位で構成されており、交換する場合もパネルを交換すればよいが、防犯カメラを設置するだけのために、かご室壁７のパネルを交換することは非常に煩わしい。従って、電波透過材８を組み込んだかご室壁を最初から使用する方が望ましいが、防犯カメラ１を設置しない場合は、その電波透過材８がエレベーター利用者から見えてしまうため、その電波透過材８の意匠性が問題となる。
【００２８】
その解決手段として、電波透過材８の表面に、電波透過性を有する金属調塗装または金属調フィルムを使用する方法がある。樹脂で形成される電波透過材８の表面に金属調塗装を施すことにより、あたかも金属のように見せることができる。あるいは、例えばＰＥＴ（ポリエチレンテレフタレート）を原料とする金属調フィルムと一体成型した電波透過材８も、同様に、あたかも金属のように見せることができる。もし、かご室壁７と電波透過材８の境目が意匠的に気になる場合は、少なくとも、防犯カメラ１を設置するかご室壁７のパネル全面（パネル全体）を電波透過材８とする方法もある。この場合も、必要に応じて、金属調塗装または金属調フィルムを使用するとよい。そうすれば電波透過材８がどこにあるかわからないほどに意匠性が確保できる。このように、意匠性が問題とならないようにするためには（特に、防犯カメラ１がエレベーターの据付後に取り付けられるような場合は）、電波透過材８の表面に金属調塗装または金属調フィルムを施し、周囲のかご室壁７の金属パネルの色調と同じにし、デザイン上の違和感を無くしておくことが望ましい。なお、このとき、重要となるのは、電波透過材８とかご室壁７との表面に段差がないようにすることである。すなわち、電波透過材８が設けられている箇所だけが、その周囲のかご室壁７に対して凹んでいることが無いように、同じ表面高さとなって平らになるように形成する。
【００２９】
図３に示すように、エレベーター昇降路１７の上方には、エレベーター制御盤１０とエレベーター巻上機１６が設けられており、エレベーター昇降路１７の下端部にはダイバーシティアンテナ１８が設けられている。エレベーターかご室１３は、ロープ１５により吊り下げられており、ロープ１５の他端に吊り下げられた釣合おもり１４とともに、エレベーター巻上機１６を介して、エレベーター昇降路１７内を昇降駆動する。
【００３０】
また、図３に示すように、エレベーターかご室１３の天井を構成している金属パネル上（かご室外）には、かご上ステーション１１が設けられている。エレベーター制御盤１０とかご上ステーション１１とはエレベーター制御ケーブル１２を介して互いに電気的に接続されており、かご上ステーション１１はエレベーター制御盤１０からの制御信号により制御されている。エレベーターかご室１３の中に設置する防犯カメラ１は、エレベーターかご室１３内の映像を電波映像信号６としてエレベーターかご室１３の外へ略々水平に送信し、電波反射プレート９はその電波映像信号６を直角（下向き）に向きを変えてエレベーター昇降路１７の下端に向けて送信する。エレベーター昇降路１７の下端には電波映像信号６を受信するためのダイバーシティアンテナ１８が設置されており、受信した電波映像信号６を映像信号伝送用ケーブル１９を介してエレベーター外部（例えば監視室に設置されたモニタ）に送信する。監視室では、監視員が、モニタに表示された映像を基に、エレベーターかご室１３内の監視を行う。あるいは、伝送された電波映像信号６をモニタにて再生できるように、監視室に設置された記憶装置（メモリ）に当該電波映像信号を記憶させる。当該記憶された電波映像信号６は、必要に応じて（有事のとき等に）モニタにより再生される。このようにして、防犯カメラ１から送信される電波映像信号６は、無線通信により、エレベーター昇降路１７の下端に設けられたダイバーシティアンテナ１８によって受信される構成としたので、防犯カメラ１とダイバーシティアンテナ１８との間の伝送ケーブルは不要となる。なお、ダイバーシティアンテナ１８からは、映像信号伝送用ケーブル１９を使用して有線にて映像信号を伝送するが、その場合に限らず、電波などの無線信号を使用しても良い。
【００３１】
以上のように、本願発明は、エレベーターのかご室内を撮影した映像信号を外部に送信するエレベーター用防犯カメラ装置であって、エレベーターかご室１３内を撮影した映像信号５を電波映像信号６に変換して送信する平面アンテナ４を内蔵し、かご室壁７への取付面を電波透過材で構成した防犯カメラ１と、防犯カメラ１の取付部であって、平面アンテナ４と対応する部分を電波透過材８で構成したかご室壁７と、エレベーターかご室１３の外側に設けられ、平面アンテナ４から送信される電波映像信号６の向きを受信アンテナであるダイバーシティアンテナ１８方向に変化させる電波反射プレート９とを備えている。このように、本願発明においては、電波映像信号６の通信路となる、防犯カメラ１の平面アンテナ４に対応する位置のかご室壁７を電波透過材８で構成するようにしたので、かご室壁７に、アンテナを通すための穴（または、有線の場合は、映像信号用のケーブルを通すための穴）を空ける必要がなくなり、防犯カメラの据え付け作業が容易になり、据付時の作業性が向上するとともに、かご室の密閉性が高まり、高速運転時においても、乗客にかご室走行音が聞こえることを防止でき、静かなかご室を提供することができる。
【００３２】
また、電波映像信号６の通信路となるかご室壁７を電波透過材８で構成するようにしたので、アンテナの先端をかご室から外部に突き出す必要がなくなり、アンテナを防犯カメラ１内に内蔵することが可能になったため、防犯カメラ１に内蔵するアンテナとして小型のアンテナを用いることが可能である。これにより、防犯カメラ１の装置全体の大きさを大幅に小型化することができる。上記の実施の形態においては、奥行サイズが小さい、薄型で、かつ、指向性の強い、平面アンテナ４を使用するようにし、かつ、電波反射プレート９を設けて、電波映像信号６の進行方向を受信用アンテナであるダイバーシティアンテナ１８の設置位置方向だけに向けるようにしたので、防犯カメラ１本体の奥行きサイズを薄くすることができるとともに、従来用いていたホイップアンテナなどの無指向性アンテナと比較して無駄な角度に放射する電波がなくなるため、使用電力を抑えることになり、省電力効果を得ることができる。
【００３３】
一般的にエレベーターかご室壁７は金属パネルで構成されているので、かご室壁７の電波透過材８に樹脂を使用する際には、当該樹脂に金属調塗装または金属調フィルムを施すことにより、電波透過材８の周囲の金属パネルで構成されているかご室壁７全体との色調を同じにし、かご室壁７の意匠性を損なわないようにしたので、金属パネルのかご室壁７でもデザインの違和感を無くすことができる。
【００３４】
なお、本発明のエレベーターの防犯カメラ装置の電源供給としては、従来通り、エレベーター機器から給電されるようにしてもよく、あるいは、特許文献１に記載のように、太陽電池パネルを設けて、それにより、エレベーターかご室１３内の天井照明からの光を取り込んで、当該光を電気に変換して電源供給を行うようにしてもよい。電源供給方法は、特に限定されるものではなく、いずれの方法でもよく、省電力を考慮したものであれば、尚望ましい。
【符号の説明】
【００３５】
１  防犯カメラ、２  カメラカバー、３  ボードカメラ、４  平面アンテナ、５  映像信号、６  電波映像信号、７  かご室壁、８  電波透過材、９  電波反射プレート、１０  エレベーター制御盤、１１  かご上ステーション、１２  エレベーター制御ケーブル、１３  エレベーターかご室、１４  釣合おもり、１５  ロープ、１６  エレベーター巻上機、１７  エレベーター昇降路、１８  ダイバーシティアンテナ、１９  映像信号伝送用ケーブル。
【図１】
2013018578.tif 000003
【図２】
2013018578.tif 000004
【図３】
2013018578.tif 000005